(57)【要約】      （修正有）【課題】ヒーターの技術分野に関し、特に内径調整可能なスリーブ管状ヒーターを提供する。【解決手段】スリーブ管状ヒーターは、バネ式加熱コイル４と、互いに伸縮可能に接続されたスリーブ管Ａ２およびスリーブ管Ｂ３と、を含む。バネ式加熱コイルの一端はスリーブ管Ａ内に設けられ、スリーブ管Ａ内に設けられたバネ式加熱コイルの一端の端部は、スリーブ管Ａの外端面に接続固定される。また、バネ式加熱コイルの他端はスリーブ管Ｂ内に設けられ、スリーブ管Ｂ内に設けられたバネ式加熱コイルの一端の端部は、スリーブ管Ｂの外端面に接続固定される。これにより、構造が簡単であり、合理的に設計され、加熱効果を調整できる。【選択図】図１
0003189749.tif 000002
【実用新案登録請求の範囲】
【請求項１】
内径調整可能なスリーブ管状ヒーターであって、
バネ式加熱コイル（４）と、
互いに伸縮可能に接続されたスリーブ管Ａ（２）およびスリーブ管Ｂ（３）と、を含み、
前記バネ式加熱コイル（４）の一端は、スリーブ管Ａ（２）内に設けられ、前記スリーブ管Ａ（２）内に設けられた前記バネ式加熱コイル（４）の一端の端部は、スリーブ管Ａ（２）の外端面に接続固定され、
前記バネ式加熱コイル（４）の他端は、スリーブ管Ｂ（３）内に設けられ、スリーブ管Ｂ（３）内に設けられた前記バネ式加熱コイル（４）の一端の端部は、スリーブ管Ｂ（３）の外端面に接続固定される、
ことを特徴とする内径調整可能なスリーブ管状ヒーター。
【請求項２】
前記スリーブ管Ａ（２）の一端には雄ねじ（５）が、前記スリーブ管Ｂ（３）の一端には雌ねじ（６）がそれぞれ設けられ、
前記雄ねじ（５）と前記雌ねじ（６）とを螺合させて、前記スリーブ管Ａ（２）とスリーブ管Ｂ（３）とを伸縮可能に接続する、
ことを特徴とする請求項１に記載の内径調整可能なスリーブ管状ヒーター。
【請求項３】
前記スリーブ管Ａ（２）内に設けられた前記バネ式の加熱コイル（４）の一端の端部は、前記スリーブ管Ａ（２）の外端面に溶接される、
ことを特徴とする請求項２に記載の内径調整可能なスリーブ管状ヒーター。
【請求項４】
前記スリーブ管Ｂ（３）内に設けられた前記バネ式加熱コイル（４）の一端の端部は、スリーブ管Ｂ（３）の外端面に溶接される、
ことを特徴とする請求項２に記載の内径調整可能なスリーブ管状ヒーター。
【考案の詳細な説明】
【技術分野】
【０００１】
本実用新案は、ヒーターの技術分野に関し、特に内径調整可能なスリーブ管状ヒーターに関する。
【背景技術】
【０００２】
通常、ホットランナーシステムのホットランナーノズルの外部には管状ヒーターが組み合わされて設けられ、該管状ヒーターはホットランナーノズルを加熱するのに用いられる。このような管状ヒーターは、当業者によく知られている。従来の管状ヒーターは、外部スリーブ管と、外部スリーブ管内に設けられたバネ式加熱コイルと、からなる。このようなヒーターの内径は相対的に一定なので、それに組み合わせるホットランナーノズルの外径に誤差が生じると、熱がスムーズに伝達されない。また、その内部に設けられたバネ式加熱コイルの締め付けの程度も調整できないため、バネ式加熱コイルをホットランナーノズルに取り付ける場合、その伝熱効果を状況の変化に応じて調整できない。したがって、従来の管状ヒーターの構造にはまだ改良の余地がある。
【考案の概要】
【考案が解決しようとする課題】
【０００３】
本実用新案の目的は、従来技術の欠陥と不足に対して、構造が合理的に設計され、締め付けの程度を調整できる内径調整可能なスリーブ管状ヒーターを提供することにある。
【課題を解決するための手段】
【０００４】
上記目的を実現するため、本実用新案は、以下の技術案を採用する。
【０００５】
本実用新案に記載する内径調整可能なスリーブ管状ヒーターは、バネ式加熱コイルと、互いに伸縮可能に接続されたスリーブ管Ａおよびスリーブ管Ｂと、を含む。前記バネ式加熱コイルの一端は、スリーブ管Ａ内に設けられ、スリーブ管Ａ内に設けられた前記バネ式加熱コイルの一端の端部は、スリーブ管Ａの外端面に接続固定される。前記バネ式加熱コイルの他端は、スリーブ管Ｂ内に設けられ、スリーブ管Ｂ内に設けられた前記バネ式加熱コイルの一端の端部は、スリーブ管Ｂの外端面に接続固定される。
【０００６】
さらに、前記スリーブ管Ａの一端には雄ねじが、前記スリーブ管Ｂの一端には雌ねじがそれぞれ設けられ、前記雄ねじと前記雌ねじを螺合させると、前記スリーブ管Ａと前記スリーブ管Ｂとを伸縮可能に接続できる。
【０００７】
さらに、スリーブ管Ａ内に設けられた前記バネ式加熱コイルの一端の端部は、スリーブ管Ａの外端面に溶接される。
【０００８】
さらに、スリーブ管Ｂ内に設けられた前記バネ式加熱コイルの一端の端部は、スリーブ管Ｂの外端面に溶接される。
【考案の効果】
【０００９】
本実用新案の有益な効果は、以下の通りである。本実用新案に記載するスリーブ管Ａとスリーブ管Ｂは伸縮可能に接続され、バネ式加熱コイルがスリーブ管Ａとスリーブ管Ｂ内に設けられ、かつバネ式加熱コイルがスリーブ管Ａとスリーブ管Ｂの外端面にそれぞれ接続固定される。ゆえに本実用新案では、スリーブ管Ｂに対してスリーブ管Ａを回転させて伸縮を調整できる、つまり、右に回転するとスリーブ管Ｂによってバネ式加熱コイルの内径を縮小でき、左に回転するとスリーブ管Ｂによってバネ式加熱コイルの内径を拡張できる。さらに、ホットランナーノズルに対してヒーターを密着させたり緩めたりできる。本実用新案は、構造が簡単であり、合理的に設計されており、加熱効果を調整できる。
【図面の簡単な説明】
【００１０】
【図１】本実用新案の全体構造図である。
【図２】本実用新案の分解構造図である。
【考案を実施するための形態】
【００１１】
以下、図面とともに本実用新案をさらに説明する。
【００１２】
図１と図２に示すように、本実用新案に記載する内径調整可能なスリーブ管状ヒーターは、バネ式加熱コイル４と、互いに伸縮可能に接続されたスリーブ管Ａ２およびスリーブ管Ｂ３と、を含む。上記部材は、本実用新案の本体構造を構成する。
【００１３】
前記バネ式加熱コイル４の一端は、スリーブ管Ａ２内に設けられる。スリーブ管Ａ２内に設けられた前記バネ式加熱コイル４の一端の端部は、スリーブ管Ａ２の外端面に接続固定される。本実用新案では、バネ式加熱コイル４の端部がスリーブ管Ａ２の外端面に溶接されて固定されるのが好ましいが、もちろん他の方式で固定されてもよい。前記バネ式加熱コイル４の他端は、スリーブ管Ｂ３内に設けられる。スリーブ管Ｂ３内に設けられた前記バネ式加熱コイル４の一端の端部は、スリーブ管Ｂ３の外端面に接続固定される。本実用新案は、バネ式加熱コイル４の端部がスリーブ管Ｂ３の外端面に溶接されて固定されるのが好ましいが、もちろん他の方式で固定されてもよい。
【００１４】
互いに伸縮可能に接続されたスリーブ管Ａ２およびスリーブ管Ｂ３について詳述する。前記スリーブ管Ａ２の一端に雄ねじ５が、前記スリーブ管Ｂ３の一端に雌ねじ６が設けられている。雄ねじ５と雌ねじ６とを螺合することにより、前記スリーブ管Ａ２と前記スリーブ管Ｂ３とを伸縮可能に接続できる。
【００１５】
前記バネ式加熱コイル４には加熱導線１が接続されており、該加熱導線は通電して加熱するのに用いられる。
【００１６】
使用する際には、本実用新案、すなわちバネ式加熱コイル４をホットランナーノズルに取り付ける。バネ式加熱コイル４によるホットランナーノズルの締め付けの程度を増す必要がある場合、スリーブ管Ａ２をスリーブ管Ｂ３に対して相対的に回転するように締めて、スリーブ管内のバネを相対的に回転させて右へ移動させて、バネの内径を減少させることによって、バネ式加熱コイル４とホットランナーノズルとを密着させる。ヒーターを取り外す必要がある場合、スリーブ管Ａ２をスリーブ管Ｂ３に対して相対的に回転させて、スリーブ管内のバネを相対的に回転させて左へ移動させて、バネの内径を大きくすることによって、着脱の利便性を図る。
【００１７】
以上記載したのは、単に本実用新案の比較的好ましい実施形態に過ぎない。ゆえに本実用新案登録出願の範囲に記載した構造、特徴および原理に基づいて為した変更または修飾は、同等の効果が得られる限り、いずれも本実用新案登録出願の範囲内に属するものである。
【符号の説明】
【００１８】
１  加熱導線
２  スリーブ管Ａ
３  スリーブ管Ｂ
４  加熱用のコイルバネ
５  雄ねじ
６  雌ねじ
【図１】
0003189749.tif 000003
【図２】
0003189749.tif 000004